(57)【要約】      （修正有）【課題】フラットケーブルを固定させるコネクタ構造を提供する。【解決手段】両側にそれぞれ切り溝２０２があり、前端から差し込まれるフラットケーブル２００を固定するためのコネクタ構造であり、接続座体１０、蓋板２０、複数の端子３０、及び一対の金属製留め具４０を備える。さらに、接続座体は、本体部、本体部の両側から後方へ伸びた一対の側壁を有し、蓋板には、蓋板を接続座体に回動可能に取りつける為の一対のシャフト、及びシャフト内側に近設された一対の制動軸２３が備えられ、一対の留め具は、一対の側壁に固定される。また、制動軸の下方には弾性アームが設けられており、蓋板を閉めたとき、一対の弾性アームが一対の制動軸２３に押動され、フラットケーブル２００の切り溝２０２に嵌合することにより、ケーブルを係止させる。【選択図】図５
0003161717.tif 000002
【実用新案登録請求の範囲】
【請求項１】
両側にそれぞれ切り溝があるフラットケーブルを前端から差し込み、固定させるコネクタ構造であって、接続座体と、蓋板と、複数の端子と、一対の留め具と、を備え、
前記接続座体は、前端面に前記フラットケーブルを挿入させる為の開口が設けられた本体部と、前記本体部の両側から後方へ延在する一対の側壁と、前記本体部の底部から後方へ延伸する延伸部と、前記本体部と前記延伸部のそれぞれを貫通してなる複数の端子スロットと、を備え、
前記蓋板は、前記蓋板を前記一対の側壁に回動可能に取り付ける為の一対のシャフトと、前記一対のシャフトの内側に近設される一対の制動軸と、を備え、
前記一対の留め具は、金属製であり、基部と、前記基部から前記開口方向に延伸し、前記一対の制動軸の下方にそれぞれ位置するよう設けられた一対の弾性アームと、を備え、
前記蓋板を閉蓋した際、前記一対の制動軸が前記一対の弾性アームをそれぞれ押圧することにより、前記一対の弾性アームが前記フラットケーブルの両側に設けられた前記切り溝にそれぞれ嵌合され、前記フラットケーブルを固定させることを特徴とするコネクタ構造。
【請求項２】
前記蓋板は、両側面に設けられる一対の嵌合ブロックと、底部から上方へ凹設された一対の圧縮溝と、前記一対のシャフト間の底部に間隔をおいて設けられた複数の内軸と、を備えていることを特徴とする請求項１に記載のコネクタ構造。  
【請求項３】
前記一対の制動軸はそれぞれ、前記複数の内軸及び前記一対のシャフトとの間に設けられていることを特徴とする請求項２に記載のコネクタ構造。
【請求項４】
前記複数の端子は、それぞれ溶接部と、上アームと、下アームとを備え、前記上アームの前端には分岐部が設けられ、前記蓋板に設けられる前記複数の内軸が前記複数の分岐部にそれぞれ挿嵌されることを特徴とする請求項２に記載のコネクタ構造。
【請求項５】
前記一対の制動軸の軸心線は、前記蓋板を縦にしたとき、前記一対のシャフトの軸心線より高くなるよう設けられていることを特徴とする請求項１に記載のコネクタ構造。
【請求項６】
前記一対の側壁は、それぞれ底部に設けられた底溝と、前記底溝に近設された保持溝と、前記底溝から上方に凹設されたガイド溝を備え、
前記一対の留め具は、それぞれ前記基部の後縁から上方へ延伸後、屈曲し水平方向に伸びた突出アームを備え、前記基部が前記底溝に位置するよう設けられ、前記突出アームが前記ガイド溝内に収容されることを特徴とする請求項１に記載のコネクタ構造。
【請求項７】
前記一対の留め具は、それぞれ基部の外側縁から上方へ伸びたサイドストッパーと、前記基部の内側縁から上方へ伸びた垂直部と、前記垂直部から後方へ伸びてなり、前記保持溝に固定される固定アームとを備えていることを特徴とする請求項６に記載のコネクタ構造。
【請求項８】
前記一対の留め具は、前記垂直部の頂部から上方へ延伸後、屈曲し後方へ伸びたシャフトアームを更に備え、前記シャフトアームにより、前記蓋板に設けられる前記シャフトを回動可能に軸支することを特徴とする請求項７に記載のコネクタ構造。
【請求項９】
前記一対の弾性アームは、前記垂直部の頂部から水平に内側へ伸びた横向き部と、前記横向き部の末端から後方へ伸びた縦向き部を備え、前記縦向き部の末端には下向きに突出した嵌合部が設けられ、前記縦向き部は、それぞれ前記一対の制動軸の下方、且つ前記開口の両側に位置していることを特徴とする請求項７に記載のコネクタ構造。
【請求項１０】
前記一対の側壁には、それぞれ前記保持溝と前記開口をつないで形成される横向き溝が設けられ、前記一対の弾性アームの前記横向き部は、前記横向き溝に挿嵌されていることを特徴とする請求項９に記載のコネクタ構造。
【考案の詳細な説明】
【技術分野】
【０００１】
本考案は、コネクタ構造に関し、特にフレキシブルフラットケーブルと電気的に接続し、固定させるコネクタ構造に関する。
【背景技術】
【０００２】
従来のフレキシブルフラットケーブルを固定するためのコネクタとして、例えば特許文献１に示すものが開示されている。このコネクタ構造においては、プラスチック本体に突出した一対の固定ブロックを設けると共に、フラットケーブルの両側に、固定ブロックに対応した一対の固定孔が設けられており、固定ブロックと対応する固定孔によってフラットケーブルを固定させている。
【先行技術文献】
【特許文献】
【０００３】
【特許文献１】台湾特許第Ｍ３５９０６５号公報
【考案の概要】
【考案が解決しようとする課題】
【０００４】
しかしながら、上述した従来の電気コネクタは体積が小さい為、固定ブロックの強度が不十分なことから、破損が容易となり、フラットケーブルがコネクタから抜け易いという問題がある。
また、プラスチック本体に固定ブロックを設けることにより、プラスチック本体の金型開発における困難さを増す。    
【０００５】
本考案は、フラットケーブルをコネクタ内部に容易に抜けないようしっかりと固定する該コネクタ構造を提供することを目的とする。
【課題を解決するための手段】
【０００６】
上述の課題を解決するために、本考案は、両側にそれぞれ切り溝があるフラットケーブルを前端から差し込み、固定させるコネクタ構造であって、接続座体と蓋板と一対の留め具とを含み、前記接続座体は、前端面に前記フラットケーブルを挿入させる為の開口が設けられた本体部と前記本体部の両側から後方へ延在する一対の側壁と、前記本体部の底部から後方へ延伸する延伸部と、前記本体部と前記延伸部のそれぞれを貫通してなり、複数の端子を収容する複数の端子スロットとを備え、前記蓋板は、前記蓋板を前記一対の側壁に回動可能に取り付ける為の一対のシャフトと前記一対のシャフトの内側に位置する一対の制動軸とを備え、前記一対の留め具は、金属製であり、基部と、前記基部から前記開口方向に延伸し、前記一対の制動軸の下方にそれぞれ位置するよう設けられた一対の弾性アームとを備え、前記蓋板を閉蓋した際、前記一対の制動軸が前記一対の弾性アームをそれぞれ押圧することにより、前記一対の弾性アームが前記フラットケーブルの両側に設けられた切り溝にそれぞれ嵌合され、前記フラットケーブルを固定させることを特徴とするコネクタ構造を提供する。
【考案の効果】
【０００７】
本考案によれば、フラットケーブルを固定するための留め具が、金属製である為、壊れ難く、フラットケーブルが容易に抜けてしまうことを防止できる。  
【０００８】
また、蓋板を閉蓋すると、蓋板の制動軸が留め具の弾性アームを下方向へ押圧し、弾性アームがフラットケーブルに設けられた切り溝に嵌合されることにより、フラットケーブルを係止させる構造の為、フラットケーブルの固定が簡単である。  
【図面の簡単な説明】
【０００９】
【図１】本考案のコネクタ構造の立体分解図である。
【図２】本考案のコネクタ構造の立体組合図である。
【図３】本考案のコネクタ構造の局所後面図である。
【図４】本考案のコネクタ構造の局所立体図である。
【図５】本考案のコネクタ構造の断面図である。
【図６】本考案のコネクタ構造（接続座体なし）の蓋板を縦にした側面図である。
【図７】本考案のコネクタ構造（接続座体なし）の蓋板を閉めたときの側面図である。
【考案を実施するための形態】
【００１０】
以下、本考案の実施の形態を図面に基づいて説明する。なお、以下の説明は例示にすぎず、本考案の範囲を制限するものではない。
【００１１】
図１と図２はそれぞれ、本考案のコネクタ構造の立体分解図と立体組合図である。
【００１２】
コネクタ構造１００は、接続本体１０、蓋板２０、複数の端子３０、及び一対の留め金４０からなり、フラットケーブル２００と電気的に接続されると共に、フラットケーブル２００を固定させる。
【００１３】
フラットケーブル２００の両側には、それぞれ切り溝２０２が設けられており、底部には、複数の導線（図示せず）が露出している。
【００１４】
また、フラットケーブル２００は、コネクタ構造１００の前端（本実施例の開口１１２側を前端と定義する。）から差込まれる。
【００１５】
接続座体１０は、本体部１１０、該本体部１１０両側から後方へ延在した一対の側壁１２０、本体部１１０の底部から後方へ延伸した延伸部１３０、及び本体部１１０と延伸部１３０をそれぞれ貫通してなる複数の端子スロット１３１を備える。
【００１６】
本体部１１０には、フラットケーブル２００を差し込むための開口１１２がその前端面にが設けられている。  
【００１７】
複数の端子３０は、それぞれ溶接部３１と、前端に分岐部３４が設けられる上アーム３２と下アーム３３を備え、接続座体１０の複数の端子スロット１３１内に収容される。
【００１８】
蓋板２０は、その両側に設けられ、蓋板２０を一対の側壁１２０に取りつけるための一対のシャフト２１及びシャフト２１の内側に近設された一対の制動軸２３からなる。
【００１９】
一対の留め具４０は金属部材をプレス加工して製作され、一対の側壁１２０に固定される。留め具４０はそれぞれ基部４１、及び該基部４１から開口１１２内に延伸し、制動軸２３の下方にそれぞれ位置するように設けられた弾性アーム４６からなる。  
【００２０】
フラットケーブル２００をプリセットされた位置に差し込むと、切り溝２０２は弾性アーム４６の前端の下方に位置し、蓋板２０を閉蓋した際、一対の制動軸２３は、それぞれ一対の弾性アーム４６を押圧し、一対の弾性アーム４６の前端がフラットケーブル２００の切り溝２０２に嵌合するように設けられる。
【００２１】
これによりフラットケーブル２００は容易に抜けないようコネクタ構造１００に固定される。  
【００２２】
次に、一対の側壁１２０に固定される一対の留め具４０について説明する。
【００２３】
一対の側壁１２０は、底部に設けられる底溝１２１と、底溝１２１の内側に設けられる保持溝１２２と、底溝１２１から上方に凹設されたガイド溝１２４からなる。
【００２４】
本実施例における、保持溝１２２とガイド溝１２４は、図３と図４に示すように、一対の側壁１２０にそれぞれ貫装されている。  
【００２５】
次に、蓋板２０の細部構造について説明する。  
【００２６】
蓋板２０は、両側面に設けられる一対の嵌合ブロック２５と底面から上方へ凹設された一対の圧縮溝２２と、底部に間隔をおいて設けられた複数の内軸２４と、一対のシャフト２１の内側に近設される一対の制動軸２３とを備える。
【００２７】
蓋板２０が閉蓋された際、一対の嵌合ブロック２５部分は、一対の側壁１２０の側面に接触すると、内側(圧縮溝２２側)方向に撓み、蓋板２０は一対の側壁の間に固定される。
【００２８】
一対の制動軸２３は、一対のシャフト２１に近設される一対の開槽２３０に収容されている。
【００２９】
複数の内軸２４は、一対のシャフト２１の間にあり、複数の端子３０の分岐部３４を収容する。
【００３０】
制動軸２３の軸心線は、該蓋板２０を縦にした際の、シャフト２１の軸心線より高くなるように設けられている。  
【００３１】
次に留め具４０の細部構造について説明する。
【００３２】
留め具４０は、基部４１の外側縁から上方へ延伸したサイドストッパー４３と、基部４１の内側縁から上方へ延伸した垂直部４２と、垂直部４２から後方へ延伸した固定アーム４２１とを備えている。また、図３に示すように、固定アーム４２１は保持溝１２２内に挿嵌される。
【００３３】
本実施例における留具４０は、蓋板２０のシャフト２１を固定するためのシャフトアーム４２２を更に有する。前記シャフトアーム４２２は、垂直部４２の頂部から上方へ延伸した後、後方に屈曲するように形成されており、蓋板２０のシャフト２１が上方へ抜けることを防止している。  
【００３４】
留め具４０の弾性アーム４６は、垂直部４２の頂部から水平に内側方向へ延伸した横向き部４６２、及び横向き部４６２の末端から後方へ延伸した縦向き部４６４を備え、縦向き部４６４の末端には下向きに突出した嵌合部４６６が設けられている。
【００３５】
縦向き部４６４を開口１１２の両端、且つ制動軸２３の下方に位置させる為、一対の側壁１２０には、それぞれ留め具の形状に合わせるように、保持溝１２２と開口１１２をつないで形成された横向き溝１２６が設けられており、弾性アーム４６の横向き部４６２は、横向き溝１２６に嵌合される。
【００３６】
図４と図５はそれぞれ、本考案のコネクタ構造の局所立体図と断面図である。
【００３７】
縦向き部４６４は、制動軸２３の下方に位置し、嵌合部４６６は、フラットケーブル２００の切り溝２０２の上方に位置するよう設けられている。  
【００３８】
図６と図７はそれぞれ、本考案のコネクタ構造（接続座体なし）の蓋板を縦にした際の側面図、及び蓋板を閉蓋した際のの側面図である。
【００３９】
フラットケーブル２００をプリセットされた位置に差込み、蓋板２０を閉蓋すると、制動軸２３は下方向へ押圧され、縦向き部４６４を下方向へ押動する。これにより、嵌合部４６６がフラットケーブル２００の切り溝２０２に嵌合され、フラットケーブル２００を抜けないように係止することができる。  
【符号の説明】
【００４０】
１００…コネクタ構造  
１０…接続座体  
１１０…本体部                
１１２…開口      
１２０…側壁                  
１２１…底溝      
１２２…保持溝                
１２４…ガイド溝    
１２６…横向き溝    
１３０…延伸部                
１３１…端子スロット    
２０…蓋板      
２１…シャフト                  
２２…圧縮溝    
２３…制動軸                
２３０…開槽      
２４…内軸                  
２５…嵌合ブロック      
３０…端子      
３１…溶接部                
３２…上アーム      
３３…下アーム                  
３４…分岐部    
４０…留め具    
４１…基部                  
４３…サイドストッパー    
４２…垂直部    
４２１…固定アーム            
４２２…シャフトアーム      
４４…突出アーム            
４６…弾性アーム    
４６２…横向き部              
４６４…縦向き部    
４６６…嵌合部    
２００…フラットケーブル      
２０２…切り溝      
【図１】
0003161717.tif 000003
【図２】
0003161717.tif 000004
【図３】
0003161717.tif 000005
【図４】
0003161717.tif 000006
【図５】
0003161717.tif 000007
【図６】
0003161717.tif 000008
【図７】
0003161717.tif 000009